【手続補正書】
【提出日】令和2年7月6日(2020.7.6)
【手続補正１】
【補正対象書類名】特許請求の範囲
【補正対象項目名】全文
【補正方法】変更
【補正の内容】
【特許請求の範囲】
【請求項１】
アダプタインデックス軸を有する切断用インサートアダプタであって、
アダプタの周囲の周縁に延びるアダプタ周縁表面によって接続される、平行なアダプタ第１側面及び第２側面と、
前記第１側面及び前記第２側面の中心を通って延びるアダプタインデックス軸であって、前記アダプタ周縁表面には、複数のポケット及び前記ポケットの間に延びる直線的なベアリング表面が形成されるアダプタインデックス軸と、
弾性クランプのために構成され、かつ、弾性の上方及び下方締結表面を含む前記ポケットのそれぞれと、を備えるインサートアダプタ。
【請求項２】
前記複数のポケットは少なくとも３つのポケットである、請求項１に記載のインサートアダプタ。
【請求項３】
前記インサートアダプタの側面視で、それぞれの直線的なベアリング表面は、前記ポケットの１つに隣接するように配置された凹部と、非凹部と、前記凹部及び前記非凹部を接続する移行部と、を含む、請求項１に記載のインサートアダプタ。
【請求項４】
前記ポケットは、前記アダプタ周縁表面の周囲に均等に間を空けられる、請求項１に記載のインサートアダプタ。
【請求項５】
前記アダプタ第１及び第２側面は平坦である、請求項１に記載のインサートアダプタ。
【請求項６】
前記上方及び下方の締結表面のいずれか又は両方は、尾根形状を有する、請求項１に記載のインサートアダプタ。
【請求項７】
前記上方及び下方の締結表面のうちの正確に１つは、浮彫凹部によって離された２つの接触領域を含む、請求項１に記載のインサートアダプタ。
【請求項８】
それぞれのポケットには、インサートストッパ表面が形成される、請求項１に記載のインサートアダプタ。
【請求項９】
弾性の溝を有さない一体構造でさらに形成される、請求項１に記載のインサートアダプタ。
【請求項１０】
前記インサートアダプタは、前記インサートアダプタを包含する仮想上の円柱の５０％より大きい容積の素材を有する、請求項１に記載のインサートアダプタ。
【請求項１１】
前記容積は、前記仮想上の円柱の容積の５５％よりも大きく、７５％よりも小さい、請求項１０に記載のインサートアダプタ。
【請求項１２】
前記アダプタ第１及び第２側面へ開口する単一の中心のねじ孔がさらに形成される、請求項１に記載のインサートアダプタ。
【請求項１３】
前記アダプタ第１及び第２側面へ開口し、周方向に均等に間を空ける複数のねじ孔がさらに形成される、請求項１に記載のインサートアダプタ。
【請求項１４】
前記ねじ孔の数は、前記インサートアダプタの前記ポケットの数と等しい、請求項１３に記載のインサートアダプタ。
【請求項１５】
前記インサートアダプタは金属で製造される、請求項１に記載のインサートアダプタ。
【請求項１６】
操作位置で、最も前のベアリング表面は、操作方向ＤＯに対して本質的に垂直に延びるように構成される、請求項１に記載のインサートアダプタ。
【請求項１７】
工具に前記インサートアダプタを締結するための複数のねじ孔を含む非中心締結構造でさらに形成される、請求項１に記載のインサートアダプタ。
【請求項１８】
前記ねじ孔は互いに周方向に均等に間を空けられる、請求項１７に記載のインサートアダプタ。
【請求項１９】
ポケットのそれぞれと関連づけられた開放孔をさらに備える、請求項１に記載のインサートアダプタ。
【請求項２０】
工具ホルダと、前記工具ホルダの工具ヘッドのアダプタ凹部に取り付けられる請求項１〜１９のいずれか１項に記載のインサートアダプタと、前記インサートアダプタの前記ポケットの１つに取り付けられるインサートと、を含む工具アセンブリであって、前記インサートは、操作目的のために配置される前記工具アセンブリの切断刃のみである切断刃を備える、工具アセンブリ。
【請求項２１】
前記切断刃は、前記アダプタインデックス軸ＩＡと平行に測定される切断刃厚さを有し、
前記インサートアダプタは、前記アダプタインデックス軸ＩＡと平行に測定されるアダプタ厚さを含み、前記アダプタ厚さは、前記切断刃厚さよりも小さい、工具アセンブリ。
【請求項２２】
前記インサートアダプタは、少なくとも１つのねじ孔を含み、
前記工具ホルダは、少なくとも１つの工具孔を含み、そして
前記アセンブリは、前記工具ホルダに前記ねじ孔及び工具孔を介して前記インサートアダプタを固定するための少なくとも１つのねじをさらに含み、
前記少なくとも１つのねじは、頭部及び軸部を有し、
前記軸部は、前記インサートアダプタのアダプタ厚さよりも少なくとも三倍大きい軸部長さを有する、請求項２０に記載の工具アセンブリ。
【請求項２３】
前記軸部は、ねじの形成されたサブ部と、前記ねじの形成されたサブ部及び前記頭部の間に配置されるねじの形成されていないサブ部と、を含み、
前記ねじの形成されていないサブ部は、前記ねじの形成されていないサブ部に沿って測定され、アダプタ厚さよりも大きな長さの軸長さを有する、請求項２２に記載の工具アセンブリ。
【請求項２４】
冷却剤路は、前記アダプタ凹部の下に延び、前記アダプタ凹部の最も前の部分に開口し、前記インサートアダプタ第１及び第２側面を２つに分けるアダプタ平面と並ぶ、請求項２０に記載の工具アセンブリ。
【請求項２５】
前記インサートアダプタは、所望の方向に前記インサートアダプタを付勢するために、前記アダプタ凹部内の対応の工具孔からずれたねじ孔を有するように形成される、請求項２０に記載の工具アセンブリ。
【請求項２６】
前記切断刃は、前記インサートの切断刃のみである、請求項２０に記載の工具アセンブリ。
【請求項２７】
前記切断刃は、同じ軸に沿って測定される前記インサートの残りの部分の厚さよりも大きい厚さを有する、請求項２０に記載の工具アセンブリ。
【請求項２８】
前記インサートが細長い形状を有する、請求項２０に記載の工具アセンブリ。
【請求項２９】
前記工具ホルダが、細長い工具軸を有する、請求項２０に記載の工具アセンブリ。
【請求項３０】
前記工具ホルダの操作方向は、前記細長い工具軸の長手方向と平行である、請求項２９に記載の工具アセンブリ。
【請求項３１】
前記工具軸は四辺形の断面を有する、請求項２９に記載の工具アセンブリ。
【請求項３２】
前記アダプタ凹部は、少なくとも１つのアダプタ設置面突起を備える、請求項２０に記載の工具アセンブリ。
【請求項３３】
前記工具ヘッドは、前記アダプタ凹部の周囲に沿って前記工具ホルダから突出する第１及び第２工具ベアリング表面を備える、請求項２０に記載の工具アセンブリ。
【請求項３４】
前記第１及び第２工具ベアリング表面は、前記インサートアダプタが前記工具ホルダの３つの領域のみを介して前記工具ホルダに、すなわち、前記インサートアダプタの側面のうちの１つとちょうど２つの直線的なベアリング表面とに接触するように、工具ホルダの工具ベアリング表面のみである、請求項３３に記載の工具アセンブリ。
【請求項３５】
前記第１及び第２工具ベアリング表面の少なくとも１つは、浮彫凹部によって離された２つの接触領域によって形成される、請求項３３に記載の工具アセンブリ。
【請求項３６】
前記工具ヘッドは、くぼんだ工具ヘッド前方表面を備える、請求項２０に記載の工具アセンブリ。
【請求項３７】
操作位置で、前記インサートアダプタのもっとも前のベアリング表面は、本質的に、操作方向ＤＯに対して垂直に延びるように構成される、請求項２０に記載の工具アセンブリ。